(57)【特許請求の範囲】
【請求項１】
内視鏡の操作部に設けられた回転軸の突端部に操作レバーがビス止めにより連結固定された内視鏡の操作レバーの連結固定構造において、
上記回転軸の突端面に凹溝を形成すると共にその凹溝の底面にネジ孔を形成し、
上記操作レバーの基端部分には上記凹溝内に嵌まり込む幅の座板を形成して、上記座板を基端まで半幅に分割するスリットと、中心軸線が上記スリットを通過する皿孔とを上記座板に形成し、
上記凹溝を底側へ次第に幅が広がった台形状の断面形状に形成して、上記座板の断面形状も上記凹溝の断面形状に対応する台形状の断面形状に形成し、
上記皿孔の形状に対応する皿状の頭部を有する皿ビスを上記皿孔側から上記ネジ孔に締め込むことにより、上記スリットの幅が押し広げられる状態に上記座板が弾性変形して、上記座板の側壁外面が上記回転軸の凹溝の側壁内面に圧接された状態になって、上記操作レバーが上記回転軸に固定されるようにしたことを特徴とする内視鏡の操作レバーの連結固定構造。
【請求項２】
上記ネジ孔が上記凹溝に沿った方向の中心線位置に複数形成されている請求項１記載の内視鏡の操作レバーの連結固定構造。
【請求項３】
上記操作レバー側に、上記回転軸を挟み込むフォーク状の一対の補強腕が形成されている請求項１又は２記載の内視鏡の操作レバーの連結固定構造。
【請求項４】
上記座板を半幅に分割するスリットと平行に、上記補強腕の付け根側から上記操作レバーを分割するスリットが形成されている請求項３記載の内視鏡の操作レバーの連結固定構造。
【請求項５】
上記補強腕の内壁面が、上記回転軸の外周面に嵌合する円弧状に形成されている請求項３又は４記載の内視鏡の操作レバーの連結固定構造。
【請求項６】
上記回転軸の外縁の断面形状が円形状に形成されている請求項３、４又は５のいずれかの項に記載の内視鏡の操作レバーの連結固定構造。
【請求項７】
上記回転軸の外周面の上記補強腕が当接する部分が平面状に切り削がれている請求項６記載の内視鏡の操作レバーの連結固定構造。
【請求項８】
上記回転軸の外縁の断面形状が矩形状に形成されている請求項３、４又は５記載の内視鏡の操作レバーの連結固定構造。
【請求項９】
上記操作レバー側に、上記回転軸の外周面に嵌合する嵌合壁が形成されている請求項１ないし８のいずれかの項に記載の内視鏡の操作レバーの連結固定構造。
【請求項１０】
上記嵌合壁が上記座板に形成されている請求項９記載の内視鏡の操作レバーの連結固定構造。
【請求項１１】
上記凹溝の底面の幅方向の両端位置から上記回転軸の軸線と平行方向に上記回転軸を分割するスリットが形成されている請求項１ないし１０のいずれかの項に記載の内視鏡の操作レバーの連結固定構造。
【発明の詳細な説明】
【技術分野】
【０００１】
この発明は、内視鏡の操作部に設けられた回転軸の突端部に操作レバーがビス止めにより連結固定された内視鏡の操作レバーの連結固定構造に関する。
【背景技術】
【０００２】
内視鏡の挿入部の先端近傍に設けられた湾曲部を手元側の操作部からの遠隔操作で屈曲させる操作を行うために、操作部に設けられた回転軸の突端部に湾曲操作レバーが取り付けられており、操作部を分解修理する際の必要性等から、湾曲操作レバーは回転軸の突端部にビス止め固定された構成になっている（例えば、特許文献１、２）。
【特許文献１】特開２００５−１６０７９１
【特許文献２】特開２０００−１２６１１９
【発明の開示】
【発明が解決しようとする課題】
【０００３】
図１６は従来の内視鏡の操作レバーの連結固定構造の一例を示しており、内視鏡の操作部９０に設けられた回転軸９１の突端面にネジ孔９２が形成されて、そこに湾曲操作レバー９３が固定ビス９４で押圧固定されている。
【０００４】
しかし、回転軸９１には図示されていない湾曲操作ワイヤを牽引するための大きな力が作用するだけでなく、回転軸９１が図示されていないストッパにぶつかってそれ以上の回転が規制された状態になっても、湾曲操作レバー９３に大きな操作力が加えられる場合がある。
【０００５】
そのため、回転運動方向に対して垂直方向に作用する固定ビス９４の押圧力だけで湾曲操作レバー９３を回転軸９１に固定する図１６の構成では、すぐにガタつきが発生してしまう場合がある。
【０００６】
また、図１７は従来の内視鏡の操作レバーの連結固定構造の他の例を示しており、回転軸９１の突端面に底側へ次第に幅が狭まった溝９５が形成され、湾曲操作レバー９３側も溝９５にピッタリ嵌まり込む台形状に形成されて、皿ビス９６により湾曲操作レバー９３が回転軸９１に押圧固定されている。
【０００７】
しかしそのような構成を採ると、例えば湾曲操作レバー９３で回転軸９１を回転限界位置以上に回転させようとする力が作用したとき等には、溝９５側から湾曲操作レバー９３が受ける反力によって皿ビス９６を斜め上に持ち上げる力が発生するため、皿ビス９６が緩んで湾曲操作レバー９３が回転軸９１に対してガタついた状態になってしまい易い。
【０００８】
また、図１８に示されるように、溝９５が形成された回転軸９１の突端部分が湾曲操作レバー９３側から受ける力で広がった状態に塑性変形してしまうことにより、操作部カバー９７を取り外せなくなって操作部９０が分解不能になってしまう場合がある。
【０００９】
そこで本発明は、回転軸に対して操作レバーを、操作部の分解性を損なうことなくビス止めにより強固に安定した状態に連結固定することができる内視鏡の操作レバーの連結固定構造を提供することを目的とする。
【課題を解決するための手段】
【００１０】
上記の目的を達成するため、本発明の内視鏡の操作レバーの連結固定構造は、内視鏡の
操作部に設けられた回転軸の突端部に操作レバーがビス止めにより連結固定された内視鏡の操作レバーの連結固定構造において、回転軸の突端面に凹溝を形成すると共にその凹溝の底面にネジ孔を形成し、操作レバーの基端部分には凹溝内に嵌まり込む幅の座板を形成して、座板を基端まで半幅に分割するスリットと、中心軸線がスリットを通過する皿孔とを座板に形成し、皿孔の形状に対応する皿状の頭部を有する皿ビスを皿孔側からネジ孔に締め込むことにより、スリットの幅が押し広げられる状態に座板が弾性変形して、座板の側壁外面が回転軸の凹溝の側壁内面に圧接された状態になって、操作レバーが回転軸に固定されるようにしたものである。
【００１１】
なお、凹溝が底側へ次第に幅が広がった台形状の断面形状に形成されていて、座板の断面形状も凹溝の断面形状に対応する台形状の断面形状に形成されていてもよく、凹溝が深さ方向に幅が一定の矩形状の断面形状に形成されていて、座板も凹溝の断面形状に対応する矩形状の断面形状に形成されていてもよい。また、ネジ孔が凹溝に沿った方向の中心線位置に複数形成されていてもよい。
【００１２】
そして、操作レバー側に、回転軸を挟み込むフォーク状の一対の補強腕が形成されていてもよく、その場合、座板を半幅に分割するスリットと平行に、補強腕の付け根側から操作レバーを分割するスリットが形成されていてもよく、補強腕の内壁面が、回転軸の外周面に嵌合する円弧状に形成されていてもよい。
【００１３】
また、回転軸の外縁の断面形状が円形状に形成されていてもよく、回転軸の外周面の補強腕が当接する部分が平面状に切り削がれていてもよい。また、回転軸の外縁の断面形状が矩形状に形成されていてもよく、その場合、操作レバー側に、回転軸の外周面に嵌合する嵌合壁が形成されていてもよく、嵌合壁が座板に形成されていてもよい。
【００１４】
また、凹溝の底面の幅方向の両端位置から回転軸の軸線と平行方向に回転軸を分割するスリットが形成されていてもよい。
【発明の効果】
【００１５】
本発明によれば、皿ビスを皿孔側からネジ孔に締め込むことにより、操作レバー側に形成されたスリットの幅が押し広げられる状態に操作レバーの座板が弾性変形して、座板の側壁外面が回転軸の凹部の側壁内面に圧接された状態になって、回転軸と操作レバーを塑性変形させることなく操作レバーが回転軸に固定されるので、回転軸に対して操作レバーを、操作部の分解性を損なうことなくビス止めにより強固に安定した状態に連結固定することができる。
【発明を実施するための最良の形態】
【００１６】
内視鏡の操作部に設けられた回転軸の突端部に操作レバーがビス止めにより連結固定された内視鏡の操作レバーの連結固定構造において、回転軸の突端面に凹溝を形成すると共にその凹溝の底面にネジ孔を形成し、操作レバーの基端部分には凹溝内に嵌まり込む幅の座板を形成して、座板を基端まで半幅に分割するスリットと、中心軸線がスリットを通過する皿孔とを座板に形成し、皿孔の形状に対応する皿状の頭部を有する皿ビスを皿孔側からネジ孔に締め込むことにより、スリットの幅が押し広げられる状態に座板が弾性変形して、座板の側壁外面が回転軸の凹溝の側壁内面に圧接された状態になって、操作レバーが回転軸に固定されるようにする。
【実施例】
【００１７】
図面を参照して本発明の実施例を説明する。
図６は本発明が適用される内視鏡の全体構成の一例を示しており、体内に挿入される可撓性の挿入部１の先端近傍部分に、遠隔操作によって屈曲する湾曲部２が形成され、観察
窓等が配置された先端部本体３が湾曲部２の先端に連結されている。
【００１８】
挿入部１の基端に連結された操作部４には、湾曲部２を屈曲操作するための湾曲操作レバー５が回動自在に配置されており、湾曲操作レバー５を回動操作することにより湾曲操作ワイヤ６が牽引されて湾曲部２が屈曲する。
【００１９】
７は、操作ワイヤ６の基端が連結された図示されていないプーリを回転駆動するように操作部４に回転自在に配置された回転軸であり、その突端面に湾曲操作レバー５が二本の皿ビス８で着脱自在に連結固定されている。
【００２０】
図１は、回転軸７に対する湾曲操作レバー５の固定部分の分解斜視図、図２は正面図である。回転軸７の突端面には底側へ次第に幅が広がった台形状の断面形状の凹溝７１が形成されて、その凹溝７１の底面７１ａには、凹溝７１に沿った方向の中心線位置に二つのネジ孔７２が回転軸７の軸線と平行に形成されている。
【００２１】
一方、湾曲操作レバー５の基端部分には回転軸７の凹溝７１内に緩く嵌まり込む幅の座板５１が形成されていて、その座板５１の断面形状は凹溝７１の断面形状より僅かに幅狭で凹溝７１と同じ角度の台形状に形成されている。その部分の断面形状については、図２におけるIII−III断面図である図３に明示されている。
【００２２】
そして、図１及び図２に示されるように、湾曲操作レバー５には座板５１を半幅に分割するセンタースリット５２が基端側に達する状態に形成され、そのセンタースリット５２を通る二つの皿孔５３が、回転軸７側のネジ孔７２と位置を合わせて座板５１の板面に形成されている。センタースリット５２は、湾曲操作レバー５の基端側から二つの皿孔５３を突っ切ってさらに皿孔５３から離れた位置まで真っ直ぐに形成されている。
【００２３】
また、湾曲操作レバー５には、回転軸７を左右両側から挟み込むフォーク状の一対の補強腕５４が座板５１の左右両側に座板５１と平行に形成されていて、補強腕５４が当接する回転軸７の外周面部分が平面状に切り削がれている。７３がその切り削ぎ部である。そして、補強腕５４の付け根側から湾曲操作レバー５を分割するサイドスリット５５がセンタースリット５２と平行に形成されている。
【００２４】
湾曲操作レバー５と回転軸７とは、図２におけるIV−IV断面を図示する図４に示されるように、皿孔５３の形状に対応する皿状の頭部を有する二本の皿ビス８が皿孔５３側からネジ孔７２にねじ込まれることにより、湾曲操作レバー５が回転軸７の突端に連結固定された状態になっている。
【００２５】
そして、皿ビス８がきつくねじ込まれると、図２に矢印Ｘで示されるように、皿ビス８の頭部によってセンタースリット５２の幅が広げられる状態に座板５１が弾性変形して、図５に示されるように、座板５１の側壁外面が回転軸７の凹溝７１の側壁内面に強く圧接された状態になる。
【００２６】
すると、その座板５１と凹溝７１との圧接面が僅かではあるが下向きの斜面になっていて皿ビス８の締め付け方向に向いていることにより、座板５１が回転軸７の底面７１ａに潜ろうとする状態に強く押し付けられて固定された状態になり、皿ビス８の緩みや固定部のガタつきが発生しない。
【００２７】
また、回転軸７の突端部付近は、側方に広げようとする力が主に凹溝７１の底面７１ａ付近の位置からしか作用せず、また湾曲操作レバー５で挟まれていることも手伝って側方に広がった状態に塑性変形しないので、操作部４の分解に支障が発生することもない。
【００２８】
このようにして、回転軸７に対して湾曲操作レバー５を二本の皿ビス８だけで強固に安定した状態にしかもコンパクトに連結固定することができる。そして、皿ビス８を緩めれば湾曲操作レバー５を回転軸７から取り外すことができ、側方に広がった状態に弾性変形していた座板５１が元の形状に戻って、繰り返し使用することができる。なお、座板５１が皿ビス８により押し広げられた状態になった時に塑性変形しないように、センタースリット５２とサイドスリット５５の長さを設定しておく。
【００２９】
図７は本発明の第２の実施例を示しており、回転軸７の外縁の断面形状を矩形状（例えば正方形）に形成したものである。このように構成すると、補強腕５４と回転軸７との当接面積を大きくすることができ、湾曲操作レバー５をより強固に回転軸７に連結固定することができる。
【００３０】
図８は本発明の第３の実施例を示しており、回転軸７の突端面に形成されている凹溝７１を深さ方向に幅が一定の矩形状の断面形状に形成して、座板５１も凹溝７１の断面形状に対応する矩形状の断面形状に形成したものである。
【００３１】
このように構成すると、回転軸７に対する湾曲操作レバー５の連結強度が第１の実施例より若干低下するが、座板５１の側壁外面が回転軸７の凹溝７１の側壁内面に強く圧接された状態になるので、従来の内視鏡の操作レバーの連結固定構造に比べると格段に強固に連結固定することができる。
【００３２】
図９及び図１０は本発明の第４の実施例を示しており、回転軸７の外周面に嵌合する嵌合壁５６を湾曲操作レバー５の座板５１の裏面部分に形成したものである。このように構成することにより、凹溝７１に対する座板５１の嵌め込みでは止められない方向の横ずれを嵌合によって抑えることができるので、回転軸７に対する湾曲操作レバー５の連結固定強度が向上する。
【００３３】
図１１は、本発明の第５の実施例を示しており、補強腕５４′の内壁面を回転軸７の外周に嵌合する円弧状に形成したものであり、この実施例では補強腕５４′が前方と後方から半分ずつ延出形成されている。このように構成しても、回転軸７に対する湾曲操作レバー５の連結固定強度を向上させることができる。
【００３４】
図１２及び図１３は、本発明の第６の実施例を示しており、凹溝７１の底面７１ａの両端位置から回転軸７軸の軸線と平行方向に回転軸７を分割するスリット７４を形成したものである。このように構成することにより、皿ビス８で押された座板５１が、側方に押し広げられた状態に弾性変形して凹溝７１の内壁面に押し付けられると、それに押されてさらに回転軸７の突端部付近が補強腕５４の内壁面に強く押し付けられるので、回転軸７に対する湾曲操作レバー５の連結固定強度を向上させることができる。
【００３５】
図１４及び図１５は、本発明の参考例を示しており、回転軸７の突端面に二つのネジ孔７２が形成されてその口元部分は皿状になっている。そして二つのネジ孔７２の中心位置を通るスリット７８が回転軸７の突端付近を二分割している。
【００３６】
そして、下方へ次第に幅が狭まった外側壁を有する凸部７７がスリット７８と平行の向きに回転軸７の突端面に突出形成されていて、湾曲操作レバー５には回転軸７の凸部７７が嵌め込まれる孔５８が凸部７７の断面形状に対応する断面形状で形成されている。
【００３７】
このように構成すると、回転軸７にねじ込まれる皿ビス８で回転軸７側を押し広げて湾曲操作レバー５側に押し付けることにより、湾曲操作レバー５を回転軸７に連結固定する
ことができる。
【００３８】
なお、本発明は上記実施例に限定されず、例えば処置具起上操作レバー等のように湾曲操作レバー以外の操作レバーの連結固定部分に適用することもできる。
【図面の簡単な説明】
【００３９】
【図１】本発明の第１の実施例の内視鏡の操作レバーの連結固定構造の分解斜視図である。
【図２】本発明の第１の実施例の内視鏡の操作レバーの連結固定構造の正面図である。
【図３】本発明の第１の実施例の内視鏡の操作レバーの連結固定構造の図２におけるIII−III断面図である。
【図４】本発明の第１の実施例の内視鏡の操作レバーの連結固定構造の図２におけるIV−IV断面図である。
【図５】本発明の第１の実施例の内視鏡の操作レバーの連結固定構造の皿ビスがきつくねじ込まれた状態の断面図（図２におけるIII−III断面図に相当する断面図）である。
【図６】本発明が適用される内視鏡の一例の外観図である。
【図７】本発明の第２の実施例の内視鏡の操作レバーの連結固定構造の正面図である。
【図８】本発明の第３の実施例の内視鏡の操作レバーの連結固定構造の断面図（第１の実施例の図２におけるIII−III断面図に相当する断面図）である。
【図９】本発明の第４の実施例の内視鏡の操作レバーの連結固定構造の断面図（第１の実施例の図２におけるIV−IV断面図に相当する断面図）である。
【図１０】本発明の第４の実施例の内視鏡の操作レバーの連結固定構造の分解斜視図である。
【図１１】本発明の第５の実施例の内視鏡の操作レバーの連結固定構造の分解斜視図である。
【図１２】本発明の第６の実施例の内視鏡の操作レバーの連結固定構造の断面図（第１の実施例の図２におけるIII−III断面図に相当する断面図）である。
【図１３】本発明の第６の実施例の内視鏡の操作レバーの連結固定構造の分解斜視図である。
【図１４】本発明の参考例の断面図である。
【図１５】本発明の参考例の分解斜視図である。
【図１６】従来の内視鏡の操作レバーの連結固定構造の一例の断面図である。
【図１７】従来の内視鏡の操作レバーの連結固定構造の他の例の断面図である。
【図１８】従来の内視鏡の操作レバーの連結固定構造で生じる不具合の状態を例示する断面図である。
【符号の説明】
【００４０】
５  湾曲操作レバー
７  回転軸
８  皿ビス
５１  座板
５２  センタースリット
５３  皿孔
５４  補強腕
５５  サイドスリット
５６  嵌合壁
７１  凹溝
７１ａ  底面
７２  ネジ孔
７３  切り削ぎ部
７４  スリット
【図１】
0004827514.tif 000002
【図２】
0004827514.tif 000003
【図３】
0004827514.tif 000004
【図４】
0004827514.tif 000005
【図５】
0004827514.tif 000006
【図６】
0004827514.tif 000007
【図７】
0004827514.tif 000008
【図８】
0004827514.tif 000009
【図９】
0004827514.tif 000010
【図１０】
0004827514.tif 000011
【図１１】
0004827514.tif 000012
【図１２】
0004827514.tif 000013
【図１３】
0004827514.tif 000014
【図１４】
0004827514.tif 000015
【図１５】
0004827514.tif 000016
【図１６】
0004827514.tif 000017
【図１７】
0004827514.tif 000018
【図１８】
0004827514.tif 000019